(57)【要約】【課題】エキスパンションジョイントの床面部材と内壁面部材が相互に干渉しあうことなく円滑に可動する床面と内壁面からなるエキスパンションジョイントを提供する。【解決手段】エキスパンションジョイント床面部材とエキスパンションジョイント内壁面部材が地震可動により交錯する部分の床面部材を常に平面形状に保ち、地震により突出したりしない構成にした。【選択図】図１
2017014800.tif 000002
【特許請求の範囲】
【請求項１】
建物Ａと建物Ｂとの躯体間に設けられたクリアランスを覆う床用エキスパンションジョイントにおいて、該建物Ａと建物Ｂとの躯体間上面には夫々形状の異なる凹部形状面を構成し、該建物Ａ側に設けられた凹部形状面には比較的幅が狭く前記クリアランスを覆うことがない上下動可能な第一の目地カバー部材が設置されており、また前記建物Ｂの凹部形状面には幅広の第二の目地カバー部材が設置されており、該第二の目地カバー部材は建物Ａと建物Ｂとの躯体間に設けられたクリアランスを覆い建物Ｂ側の凹部形状面縁部では第二の目地カバー部材の片側を水平Ｙ方向変位に対応してＹスライド方向に摺動可能な摺動溝に嵌合しており、該第二の目地カバー部材の建物Ａ側方向の動きは第二の目地カバー部材の先端部をもって前記第一の目地カバー部材を上部方向にせり上げ第一の目地カバー部材と第二の目地カバー部材が重なり合うことで前記クリアランスの収縮方向に可動する地震の揺れに対応できる構成となし、前記建物Ａと建物Ｂとの躯体間に設けられたクリアランスを覆う内壁面のエキスパンションジョイントは建物Ａの内壁面を形成する第一の目地カバー部材の幅より大き目で前記クリアランスを覆うことのない巾を有する固定内壁面を建物Ａ側の凹部形状面より立ち上げて形成し、前記建物Ｂ側の内壁面を形成する第二の目地カバー部材側の内壁面には片側端部を建物Ｂの壁面に取付けられ前記建物Ａ側に設けられた固定内壁面にスライド移動して建物Ａと建物Ｂの壁面クリアランスの可動に対応できるスライド可動内壁面を設け、該スライド可動内壁面の下部には前記第二の目地カバー部材との取合い面においてスライド内壁面の下部と第二の目地カバー部材の上面に隙間部を設けて第二の目地カバー部材の水平Ｙ方向変位に対応したＹスライド方向の可動を規制しないようにしたことを特徴とする床面と内壁面からなるエキスパンションジョイント。
【請求項２】
前記第一の目地カバー部材の幅寸法は第二の目地カバー部材の約二分の一寸法を有し、該第一の目地カバー部材は第二の目地カバー部材の先端部を第一の目地カバー部材の下部に重ねることにより水平Ｘ方向変位に対応したＸスライド方向の可動を可能にしたことを特徴とする請求項１に記載された床面と内壁面からなるエキスパンションジョイント。
【請求項３】
前記第一の目地カバー部材の幅寸法は該第一の目地カバー部材の両側壁側に設けられた固定内壁面内に納まる幅寸法となし常に建物Ａの動きに同調し水平Ｙ方向変位に対応してＹスライド方向の可動を可能にしたことを特徴とする請求項１または請求項２のいずれかに記載された床面と内壁面からなるエキスパンションジョイント。
【発明の詳細な説明】
【技術分野】
【０００１】
本発明は、免震建物と非免震建物との躯体間に設けられたクリアランス（間隙部）を覆うエキスパンションジョイント床部材とエキスパンションジョイント内壁面を構成するエキスパンションジョイントに関するものであり、特に、本発明は、地震発生時において上記建物間に設けられたクリアランス部における可動の方向性を重視した床面部材と内壁面部材にて構成されるエキスパンションジョイント部材に関するものである。
【０００２】
而して、本発明は、免震建物と非免震建物が形成する躯体間のクリアランス（間隙部）に設置される床面部材と内壁面部材にて構成するエキスパンションジョイントにおいて、エキスパンションジョイント床面部材とエキスパンションジョイント内壁面部材が地震可動時において相互に連動して可動する場合に対応して床面部材と内壁面部材の連動可動を円滑化して、エキスパンションジョイントの床面部材とエキスパンションジョイントの内壁面部材を相互に破損させることなく円滑可動でき、地震時の揺れに対応可能な床面部材と内壁面部材からなるエキスパンションジョイントを提供するものである。
【背景技術】
【０００３】
エキスパンションジョイントにおける可動の方向性については、地盤に対して水平方向の動きでクリアランスの拡大収縮方向の動きを示す水平Ｘ方向変位と、地盤に対して水平方向の動きでクリアランスに対してスライド方向の動きを示す水平Ｙ方向変位、及び地盤に対して垂直方向の動きを示す垂直Ｚ方向変位がある。
従って、免震建物のエキスパンションジョイントにおいては、特に、建物が地震可動時に前記水平Ｘ方向変位と水平Ｙ方向変位を生じることに対する地震対応策が最重要事項であり、垂直Ｚ方向変位に関しては、対向して建てられた建築物が不同沈下などの理由で地盤に対して垂直方向の動きをすることに起因するものであることから、床面部材と内壁面部材を構成するエキスパンションジョイントに関しては、水平Ｘ方向変位と水平Ｙ方向変位に対して床面部材と内壁面部材とが円滑に連動し、エキスパンションジョイント床面部材とエキスパンションジョイント内壁面部材が互に緩衝して破損することなく連動して可動可能なエキスパンションジョイントの開発が必要になってきた。
【０００４】
即ち、免震建物と非免震建物間に形成されるクリアランス（間隙部）は、屋根部や天井部、外壁部や内壁部、そして、人や車の出入り部分に設けられる床部等があり、夫々の間隙部に設置されるエキスパンションジョイントは、設置場所により独自の構造を有して建物間の相互移動に対応するクリアランスを確保すると同時に、該クリアランスを覆い免震建物と非免震建物間に設置されて地震時の相互可動に対応できるエキスパンションジョイントが必要不可欠となる。
【０００５】
斯くして、本発明は、免震建物と非免震建物が形成する躯体間のクリアランス部分に設置される床面部材と内壁面部材にて構成されるエキスパンションジョイントに関するものである。
床面部材と内壁面部材から構成されるエキスパンションジョイントにおいて、最近は免震化の影響で免震建物と非免震建物との躯体間のクリアランス（間隙部）は広がる傾向があり、前記躯体間のクリアランス部分に設置されるエキパンジョイント部材は、躯体間のクリアランス部分をジョイント用目地カバー部材（以下、目地カバー部材と称する）にて覆い、該目地カバー材は地震時における躯体間の大きな変形に対応できることが要求されている。
【０００６】
また、本発明の床面エキパンジョイント部材、及び内壁面エキパンジョイント部材は、互いに隣接して設けられることから地震可動時において、互いに連動して相互に衝突し、破損させることなく床面部材と内壁面部材が連動して可動するエキスパンションジョイントを提供することが重要であり、通常時に左右の床目地カバー部材からなる床面エキスパンションジョイント面において左右の床面と目地カバー部材とが同一面上に配置されるように設置できること、並びに、地震可動時において床面の目地カバー部材が収縮した場合には、目地カバー部材の先端部が他の目地カバーの下部にスライド移動して挿入されることにより、他の目地カバープレートを上部にせり上げて建物間のクリアランス（間隙部）が最小限までにも収縮した場合においても対応できることが要求される。
【０００７】
而して、従来の床面エキスパンションジョイント部材として、地震可動時における動作方向が、免震建物と非免震建物が形成する躯体のクリアランス部において水平Ｘ方向変位（Ｘスライド方向）への動作のみに単純化したと云う免震エキスパンションジョイント床部材の滑動措置が、特開２００９−１０２９７４号公報（以下、特許文献１と称する）に記載されている。
【０００８】
特許文献１は、目地部の幅寸法が目地部の約二倍の幅寸法を有することで設置可能とする床目地装置（床面エキスパンションジョイント）であり、床目地部において目地寸法分だけが伸縮して揺れ動きを確実に吸収する床目地装置を提供するものであるとしている。
【０００９】
然しながら、特許文献１のような片側支持による目地カバー部材の固定構造を採用し、目地部の幅寸法の約二倍の幅寸法を確保することで設置可能で目地寸法分だけ伸縮する揺れ動きを吸収する床目地装置では、目地カバー部材の揺れ動きを吸収するクリアランスＬ方向の動きが非常に小さく実用的な目地装置ではない。従って、特許文献１においては、目地部の幅寸法、即ち、クリアランスＬが大きな目地装置を必要とする場合に、他方の目地プレート（１７）や一方の目地プレート（２０）の下部に伸縮可能な目地プレート支持体（１６）を設けて、水平Ｘ方向変位に対応しているものの、目地部の厚さが厚くなることや装置が複雑化することからクリアランスに対してスライド方向の動きを同時に加えた水平Ｙ方向変位にも対応する目地装置とするには、連動して可動する内壁用目地装置との組合せ構造をも考慮しなくてならず、この点が大きな欠点となっている。
【００１０】
また、特許文献１の床目地装置では、目地部（クリアランスＬ）が狭くなった場合の動作説明図（図２１）に記載された一方の目地プレート（２０Ｃ）や、動作説明図（図２６）に記載された一方の目地プレート（２０Ｄ）等の如く他方の目地プレート（１７Ｂ）の下部への侵入によりせり上がりが大きく上方に突出される動作をすることがあり、この動作中に水平Ｙ方向変位の動きが加わると前記内壁用目地装置が床目地装置に衝突して互いに破損してしまう欠点があり、特許文献１の発明は、水平Ｘ方向変位（Ｘスライド方向）の可動のみを考え、水平Ｙ方向変位（Ｙスライド方向）の動作を考慮していない実現性のない床目地用エキスパンションジョイントである。
【先行技術文献】
【特許文献】
【００１１】
【特許文献１】特開２００９−１０２９７４
【発明の概要】
【発明が解決しようとする課題】
【００１２】
本発明は、地震発生時において建物間に設けられたクリアランス（間隙部）における可動の方向性を重視した床面と内壁面を構成するエキスパンションジョイントに関するものである。
そして、本発明は、免震建物と非免震建物が形成する躯体間のクリアランスに設置される床面部材と内壁面部材とで構成するエキスパンションジョイントにおいて、エキスパンションジョイント床面部材とエキスパンションジョイント内壁面部材が地震可動時において相互に連動して可動する場合に対応し床面部材と内壁面部材との相互可動を円滑化して、エキスパンションジョイントの床面部材とエキスパンションジョイントの内壁面部材が互に衝突して破損することなく円滑可動でき、地震時の揺れにおける水平Ｘ方向変位（Ｘスライド方向）と水平Ｙ方向変位（Ｙスライド方向）にも対応可能な床面と内壁面からなるエキスパンションジョイントを提供するものである。
【課題を解決するための手段】
【００１３】
本発明は、建物Ａと建物Ｂとの躯体間に設けられたクリアランスを覆う床用エキスパンションジョイントにおいて、該建物Ａと建物Ｂとの躯体間上面には夫々形状の異なる凹部形状面を構成し、該建物Ａ側に設けられた凹部形状面には比較的幅が狭く前記クリアランスを覆うことがない上下動可能な第一の目地カバー部材が設置されており、また前記建物Ｂの凹部形状面には幅広の第二の目地カバー部材が設置されており、該第二の目地カバー部材は建物Ａと建物Ｂとの躯体間に設けられたクリアランスを覆い建物Ｂ側の凹部形状面縁部では第二の目地カバー部材の片側を水平Ｙ方向変位に対応してＹスライド方向に摺動可能な摺動溝に嵌合しており、該第二の目地カバー部材の建物Ａ側方向の動きは第二の目地カバー部材の先端部をもって前記第一の目地カバー部材を上部方向にせり上げ第一の目地カバー部材と第二の目地カバー部材が重なり合うことで前記クリアランスの収縮方向に可動する地震の揺れに対応できる構成となし、前記建物Ａと建物Ｂとの躯体間に設けられたクリアランスを覆う内壁面のエキスパンションジョイントは建物Ａの内壁面を形成する第一の目地カバー部材の幅より大き目で前記クリアランスを覆うことのない巾を有する固定内壁面を建物Ａ側の凹部形状面より立ち上げて形成し、前記建物Ｂ側の内壁面を形成する第二の目地カバー部材側の内壁面には片側端部を建物Ｂの壁面に取付けられ前記建物Ａ側に設けられた固定内壁面にスライド移動して建物Ａと建物Ｂの壁面クリアランスの可動に対応できるスライド内壁面を設け、該スライド内壁面の下部には前記第二の目地カバー部材との取合い面においてスライド内壁面の下部と第二の目地カバー部材の上面に隙間部を設けて第二の目地カバー部材の水平Ｙ方向変位に対応したＹスライド方向の可動を規制しないように構成した床面と内壁面からなるエキスパンションジョイントである。
【００１４】
また、本発明において、前記水平Ｘ方向変位に対応したＸスライド方向の可動を可能にした構成は、第一の目地カバー部材の幅寸法が第二の目地カバー部材の約二分の一寸法を有し、該第一の目地カバー部材は第二の目地カバー部材の先端部を第一の目地カバー部材の下部に重ねることによりＸスライド方向の幅広い可動を可能にした床面と内壁面からなるエキスパンションジョイントを提供するものである。
【００１５】
更にまた、本発明において、第一の目地カバー部材の幅寸法は、該第一の目地カバー部材の両側壁側に設けられた固定内壁面内に収まる幅寸法に構成することにより常に建物Ａの動きに同調し水平Ｙ方向変位に対応してＹスライド方向の可動を可能にした床面と内壁面からなるエキスパンションジョイントを提供するものである。
【発明の効果】
【００１６】
斯くして、本発明は、免震建物と非免震建物が形成する躯体間のクリアランスに設置される床面部材と内壁面部材とで構成するエキスパンションジョイントにおいて、エキスパンションジョイント床面部材とエキスパンションジョイント内壁面部材が地震可動時に相互に連動して可動する場合において前記床面部材と内壁面部材の相互間の可動を円滑化して、エキスパンションジョイントの床面部材とエキスパンションジョイントの内壁面部材が互に衝突して破損することなく円滑に可動でき、地震時の揺れにおける水平Ｘ方向変位（Ｘスライド方向）と水平Ｙ方向変位（Ｙスライド方向）に対応して可動可能な床面と内壁面からなるエキスパンションジョイントを提供するものである。
【００１７】
また、本発明は、地震発生時において建物間に設けられたクリアランス（間隙部）における床面部材と内壁面部材の同時可動の方向性を重視した実用性のある床面と内壁面を構成するエキスパンションジョイントを提供することが可能となり、エキスパンションジョイントの床面部材と内壁面部材との納まりは、非常に狭いスライド内壁下部の間隙を有するのみの構成となることから、意匠的にシンプルで大変きれいな納まりを提供することができる。
【図面の簡単な説明】
【００１８】
【図１】本発明の実施形態を説明する側断面図（通常時）。
【図２】（Ａ）図１のａ−ａ拡大図。（Ｂ）図１のｂ−ｂ拡大図。（Ｃ）図１のｃ−ｃ拡大図。
【図３】図１の要部斜視説明図。
【図４】図１の水平Ｙ方向変位動作を示す斜視図で建物Ｂが奥行方向にスライド移動した場合を示す。
【図５】図１の水平Ｙ方向変位動作を示す斜視図で建物Ｂが手前方向にスライド移動した場合を示す。
【図６】地震可動時に躯体間のクリアランスが最少になった状態を示す側断面図。
【図７】図６の要部斜視説明図。
【図８】図６の水平Ｙ方向変位動作を示す斜視図で建物Ｂが奥行方向にスライド移動した場合を示す。
【図９】図６の水平Ｙ方向変位動作を示す斜視図で建物Ｂが手前方向にスライド移動した場合を示す。
【図１０】地震可動時に躯体間のクリアランスが最大になった状態を示す側断面図。
【図１１】図１０の要部斜視説明図。
【図１２】図１０の水平Ｙ方向変位動作を示す斜視図で建物Ｂが奥行方向にスライド移動した場合を示す。
【図１３】図１０の水平Ｙ方向変位動作を示す斜視図で建物Ｂが手前方向にスライド移動した場合を示す。
【発明を実施するための形態】
【００１９】
本発明は、免震建物と非免震建物との躯体間に設けられたクリアランス（間隙部）を覆うエキスパンションジョイント床面部材とエキスパンションジョイント内壁面部材を構成するエキスパンションジョイントに関するものであり、本発明は、地震発生時において上記建物間に設けられたクリアランス部における可動の方向性を重視した床面部材と内壁面部材にて構成されるエキスパンションジョイントに関するものである。
【００２０】
また、本発明は、免震建物と非免震建物が形成する躯体間のクリアランス（間隙部）に設置される床面部材と内壁面部材にて構成するエキスパンションジョイントにおいて、エキスパンションジョイント床面部材とエキスパンションジョイント内壁面部材が地震可動時において相互に連動して可動する場合に対応して床面部材と内壁面部材の連動可動を円滑化して、エキスパンションジョイントの床面部材とエキスパンションジョイントの内壁面部材が互に衝突して破損することなく円滑可動でき、地震時の揺れに対応可能な床面部材と内壁面部材からなるエキスパンションジョイントを提供するものである。
【００２１】
斯くして、本発明は、建物Ａと建物Ｂとの躯体間に設けられたクリアランスを覆う床用エキスパンションジョイントにおいて、該建物Ａと建物Ｂとの躯体間上面には夫々形状の異なる凹部形状面を構成し、該建物Ａ側に設けられた凹部形状面には比較的幅が狭く前記クリアランスを覆うことがない上下動可能な第一の目地カバー部材が設置されており、また前記建物Ｂの凹部形状面には幅広の第二の目地カバー部材が設置されており、該第二の目地カバー部材は建物Ａと建物Ｂとの躯体間に設けられたクリアランスを覆い建物Ｂ側の凹部形状面縁部では第二の目地カバー部材の片側を水平Ｙ方向変位に対応してＹスライド方向に摺動可能な摺動溝に嵌合し、該摺動溝に嵌合した第二の目地カバー部材はその端部を摺動溝に嵌合することにより固定されており水平Ｘ方向変位に対応したＸスライド方向への可動は建物Ａ側方向への動きのみに規制され、該第二の目地カバー部材の建物Ａ側方向の動きは第二の目地カバー部材の先端部をもって前記第一の目地カバー部材を上部方向にせり上げ第一の目地カバー部材と第二の目地カバー部材が重なり合うことで前記クリアランスの収縮方向に可動する地震の揺れに対応できる構成となし、前記建物Ａと建物Ｂとの躯体間に設けられたクリアランスを覆う内壁面のエキスパンションジョイントは建物Ａの内壁面を形成する第一の目地カバー部材の幅より大き目で前記クリアランスを覆うことのない巾を有する固定内壁面を建物Ａ側の凹部形状面より立ち上げて形成し、前記建物Ｂ側の内壁面を形成する第二の目地カバー部材側の内壁面には片側端部を建物Ｂの壁面に取付けられ前記建物Ａ側に設けられた固定内壁面にスライド移動して建物Ａと建物Ｂの壁面クリアランスの可動に対応できるスライド内壁面を設け、該スライド内壁面の下部には前記第二の目地カバー部材との取合い面においてスライド内壁面の下部と第二の目地カバー部材の上面に隙間部を設けて第二の目地カバー部材の水平Ｙ方向変位に対応したＹスライド方向の可動を規制しないように構成することが好ましい。
【００２２】
また、本発明において、前記水平Ｘ方向変位に対応したＸスライド方向の可動を可能にした構成は、第一の目地カバー部材の幅寸法が第二の目地カバー部材の約二分の一寸法を有し、該第一の目地カバー部材は第二の目地カバー部材の先端部を第一の目地カバー部材の下部に重ねることによりＸスライド方向の可動を大幅に大きくした床面と内壁面からなるエキスパンションジョイントであることが好ましい。
【００２３】
更にまた、本発明において、第一の目地カバー部材の幅寸法は、該第一の目地カバー部材の両側壁側に設けられた固定内壁面内に収まる幅寸法となし常に建物Ａの動きに同調し水平Ｙ方向変位に対応してＹスライド方向の可動を可能にした第一の目地カバー部材を有していることが好ましい。
【００２４】
そして、本発明は、免震建物と非免震建物が形成する躯体間のクリアランスに設置される床面部材と内壁面部材とで構成するエキスパンションジョイントにおいて、エキスパンションジョイント床面部材とエキスパンションジョイント内壁面部材が地震可動時において互に連動して可動する場合に対応して、床面部材と内壁面部材との相互間の可動を円滑化して、エキスパンションジョイントの床面部材とエキスパンションジョイントの内壁面部材が互に衝突して破損することなく円滑可動でき、地震時の揺れにおける水平Ｘ方向変位（Ｘスライド方向）と水平Ｙ方向変位（Ｙスライド方向）に対応可能な床面と内壁面からなるエキスパンションジョイントを提供するものである。
【実施例】
【００２５】
図１乃至図５は本発明の実施の形態を説明する床面と内壁面からなるエキスパンションジョイント説明図を示すもので、図１乃至図４は通常時（設置時の状態図）の床面と内壁面からなるエキスパンションジョイントの状態図で、図１は側断面図、図２（Ａ）は図１におけるａ−ａ拡大図、図２（Ｂ）は図１におけるｂ−ｂ拡大図、図２（Ｃ）は図１におけるｃ−ｃ拡大図を示しており、図３は図１における要部斜視説明図を示している。そして、図５は、図１の水平Ｙ方向変位動作図で建物Ｂが図上で奥行方向に可動した場合を示す斜視説明図、図６は、図１の水平Ｙ方向変位動作図で建物Ｂが図上で手前方向に可動した場合を示す斜視説明図である。
【００２６】
図１乃至図５において、例えば建物Ａは非免震建物、建物Ｂは免震建物となし、建物Ａの躯体１と建物Ｂの躯体２の間にはクリアランス（間隙部）Ｃ１が設けられており、該建物Ａと建物Ｂとの躯体１と躯体２間の上面には夫々形状の異なる建物Ａ側の凹部形状面３と建物Ｂ側の凹部形状面４が設けられている。そして、建物Ａ側の凹部形状面３上には、滑性の良い金属材料からなるベース基板５が載設されており、更に、建物Ａ側に設けられたベース基板５上には、比較的幅の狭い目地カバー幅Ｗ１を有して前記クリアランスＣ１を覆わない形態で第一の目地カバー部材６が設置されており、前記建物Ｂ側の凹部形状面４と建物Ａ側の凹部形状面３上のベース基板５間には幅広の目地カバー幅Ｗ２を有する第二の目地カバー部材７が載架されていて建物Ａ側の床面８から略同一面上に第一の目地カバー部材６とクリアランスＣ１を覆う第二の目地カバー部材７により建物Ｂ側の床面９と連繋されるエキスパンション床面部材１０を形成している。
【００２７】
また、図１において、１１は建物Ａ側に設けられた固定内壁で、建物Ａと地震時に一緒に可動するもので、該固定内壁１１はエキスパンションジョイント内壁面部材１２の固定側内壁面を構成しており、また、該固定内壁１１は前記建物Ａのエキパンジョイント床面部材１０を形成する第一の目地カバー部材６の目地カバー幅Ｗ１より大きく構成され、前記クリアランスＣ１側に突出しているが、クリアランスＣ１を跨ぐことはない壁巾を有する固定内壁１１で、該固定内壁１１は、建物Ａ側の凹部形状面３より立ち上げて形成されている。
【００２８】
更に、図１におけるエキスパンションジョイント内壁面部材１２の建物Ｂ側には、通路用内壁１３に対して摺動自在に取付けられたＬ字形状の平断面を有するスライド可動内壁１４が設けられており、該スライド可動内壁１４の先端部は前記建物Ａ側に設けられた固定内壁１１の当接用目地材１５（図３に示す）に当接して目地部１６を形成している。そして、スライド可動内壁１４は、地震時において通路用内壁１３の内側をスライドして建物Ａと建物Ｂ間の壁面クリアランスＬ１に沿って可動可能に対応できるスライド可動内壁１４であり、該スライド可動内壁１４の下部には前記第二の目地カバー部材７との取合い面においてスライド可動内壁１４の下部と第二の目地カバー部材７の上面にスライド用隙間部１７を設けて、第二の目地カバー部材７のＹ方向変位となるＹスライド方向への可動が（この動きは図４、図５にて説明）できるように構成されている。
【００２９】
而して、図２（Ａ）は図１におけるａ−ａ拡大図を示しており、図２（Ａ）は、前記建物Ａ側の床面８から目地板１８、そして、第一の目地カバー部材６の端部を拡大しており、図において８は建物Ａ側の床面、１９は凹部形状面３の縁部に設けられた傾斜縁枠、１８は目地板、６は第一の目地カバー部材であり、該第一の目地カバー部材６上にはカーペット等を貼着した床仕上げ材２０が設置されており、前記第一の目地カバー部材６の建物Ａ側端部には、凹部形状面３の縁部に設けられた傾斜を有する傾斜縁枠１９に対向して設けられた端部プレート２１に固定されたカム部材２２と、前記端部プレート２１に丁番２３にて回動可能に取付けられた目地板１８が設けられており、前記第一の目地カバー部材６は、第二の目地カバー部材７に押圧された時、矢印２４方向に移動してカム部材２２が傾斜縁枠１９の上面にて押し上げられ、第一の目地カバー部材６を上部にせり上げる動作をする（この動作は図６乃至図９にて説明する）。
【００３０】
尚、図２（Ａ）の２５は第一の目地カバー部材６の外周部を構成する外周枠で、該外周枠２５には第一の目地カバー部材６を通常時に位置固定するための固定用ピン２６ａ、２６ｂ、２６ｃ・・・が任意間隔をもって固着されている。固定用ピン２６ａ、２６ｂ、２６ｃ・・・の上部は夫々前記外周枠２５に固着されており固定用ピン２６ａ、２６ｂ、２６ｃ・・・の下部は、ベース基板５に穿設された傾斜孔２７ａ、２７ｂ、２７ｃ・・・が植設されていて、前記第一の目地カバー部材６が第二の目地カバー部材７に押圧され矢印２４方向に移動した場合にカム部材２２を有する第一の目地カバー材６を傾斜縁枠１９にてせり上げ、第一の目地カバー部材６を上部に押し上げる動作をすると前記固定用ピン２６ａ、２６ｂ、２６ｃ・・・がベース基板５に穿設された傾斜孔２７ａ、２７ｂ、２ｃ・・・内を上方移動するので、前記第一の目地カバー部材６は傾斜縁枠１９に沿って第一の目地カバー部材６を上部に押し上げる動作をするものである。
【００３１】
また、図２（Ｂ）のｂ−ｂ拡大図は、第一の目地カバー部材６と第二の目地カバー部材７の先端部が、前記建物Ａ側のベース基板５上で対向する部分の拡大図で、第一の目地カバー部材６には、カーペット等を貼着した床仕上げ材２０が設けられており、該第一の目地カバー部材６には端部プレート２８にビス止め固定されたカム部材２９と、その端部プレート２８に丁番３０にて回動可能に取付けられた目地板３１が設けられている。また、床仕上げ材２０を貼着した第二の目地カバー部材７の先端部には、第一の目地カバー部材６に固定されたカム部材２９に対向して設けられた傾斜縁枠３２が設けられており、前記第二の目地カバー部材７はＸスライド方向の移動、即ち、矢印２４の方向に可動可能で水平Ｘ方向変位に対応でき、第二の目地カバー部材７が図において左方向に水平移動した場合には、前記第二の目地カバー部材７の先端部に設けられた傾斜縁枠３２上にカム部材２９をせり上げて第一の目地カバー部材６を上部に押し上げ、第一の目地カバー部材６の下部に重なりあう動作をして、クリアランスＣ１の収縮に対応することになる。
【００３２】
次に、図２（Ｃ）のｃ−ｃ拡大図は、第二の目地カバー部材７の建物Ｂ側の端部を説明するもので、カーペット等を仕上げ材２０として貼着している第二の目地カバー部材７の先端上部には目地板３３が建物Ｂ側の床面９方向に突出して設けられており、該目地板３３の下部にはスライド用ガイド部材３４が設けてあり、該スライド用ガイド部材３４は、前記建物Ｂ側の凹部形状面４上に設けられた位置調整架台３５上に設置されたスライド機構内蔵の摺動溝３６に嵌合され、該摺動溝３６に嵌合した第二の目地カバー部材７は、その端部がスライド用ガイド部材３４を介して摺動溝３６に嵌合することにより、クリアランスＣ１の水平Ｘ方向変位に対応したＸスライド方向の移動、即ち、Ｘスライド方向の矢印３７の方向の可動と、水平Ｙ方向変位に対応したＹスライド方向の矢印３８にて示す可動を可能にしている（図２（Ｃ）においては、奥行き方向又は手前方向の動きへの可動）。
【００３３】
図３は、図１の要部斜視説明図であり、３９は建物Ａの躯体１上に施工された通路用内壁、１３は建物Ｂの躯体２上に施工された通路用内壁であり、該通路用内壁３９と通路用内壁１３間には、固定内壁１１とＬ字形状の平断面を有するスライド可動内壁１４からなるエキスパンションジョイント内壁面部材１２が設けられている。このうちエキスパンションジョイント内壁面部材１２を構成する固定内壁１１は、建物Ａの躯体上に施工された前記通路用内壁３９に繋がって固定された状態で施工されており、前記スライド可動内壁１４は、Ｌ字形状の平断面を有し、その一面を通路用内壁１３に接して設けられ、該通路用内壁１３に対して摺動自在に構成されている。従って、スライド可動内壁１４は、建物Ｂの躯体上に施工された通路用内壁１３に対してＹスライド方向の矢印３８の如く可動でき、前記水平Ｘ方向変位のＸスライド方向の矢印３７の動きにも対応可能に構成されている。
尚、図１にて説明した固定内壁１１とスライド可動内壁１４の当接部は、当接用目地材１５及び固定内壁１１とスライド可動内壁１４が当接して生じる目地部１６が図示されており、また、固定内壁１１とスライド可動内壁１４の裏面に設けられた４０ａ、４０ｂ、４０ｃ・・・は前記固定内壁１１の当接用目地材１５とスライド可動内壁１４の角部間に装架された引っ張りスプリングであり、該引っ張りスプリング４０ａ、４０ｂ、４０ｃ・・・は地震発生時の固定内壁１１とスライド可動内壁１４の動きを揺れの終息時に元に戻す働きをするものである。
【００３４】
次に、エキスパンションジョイント床面部材１０の構成を図３のにて説明する。図３は、エキスパンションジョイントの床面クリアランスＣ１が通常時（施工時の状態）の状態を示しているもので、８は建物Ａ側の床面、１８は目地板、６は第一の目地カバー部材、３１は目地板、７は第二の目地カバー部材、３３は目地板、９は建物Ｂ側の床面を夫々示しており、前記図１にて説明した固定内壁１１とスライド可動内壁１４の当接部は、当接用目地材１５及び目地部１６が設置されている。そして、目地板１８部分の動作は図２（Ａ）において説明した動きをし、目地板３１部分の動作は図２（Ｂ）において説明した動きをするものであり、また、目地板３３の下部にはスライド用ガイド部材３４が設けてあり、該スライド用ガイド部材３４にはスライド機構内蔵の摺動溝３６に嵌合され、該摺動溝３６に嵌合した第二の目地カバー部材７は、その端部がスライド用ガイド部材３４を介して摺動溝３６に嵌合することにより、クリアランスＣ１の水平Ｘ方向変位に対応したＸスライド方向の移動、即ち、Ｘスライド方向の矢印３７にて示す可動と、水平Ｙ方向変位に対応したＹスライド方向の移動、Ｙスライド方向の矢印３８にて示す可動を可能にしている。
【００３５】
図３は、エキスパンションジョイント床面部材１０とエキスパンションジョイント内壁面部材１２の関係を示すもので、その動作は、前記水平Ｘ方向変位に対応する動きを示すＸスライド方向の矢印３７と水平Ｙ方向変位に対応する動きを示すＹスライド方向の矢印３８の可動動作を行うためにエキスパンションジョイント内壁面部材１２のスライド可動内壁１４の下部には、スライド用隙間部１７が設けられており、この構成を採用することにより、エキスパンションジョイント床面部材１０とエキスパンションジョイント内壁面部材１２の可動は、互いに部材同士が緩衝することなく可動可能となり、その構成は、非常に狭いスライド用間隙部１７の間隙を有するのみの構成となることから、意匠的にシンプルで大変きれいな納まりを提供できる他、エキスパンションジョイント床面部材１０とエキスパンションジョイント内壁面部材１２が地震発生時に円滑な動作をするエキスパンションジョイントを提供することができる。
【００３６】
斯くして、図１乃至図３は、クリアランスＣ１が通常時の場合における第一の目地カバー部材６と第二の目地カバー部材７の設置の状況を説明してきたが、クリアランスＣ１が通常時の場合において、水平Ｙ方向変位に対応したＹスライド方向の矢印３８の横揺れが発生した場合にはおいては、建物Ａと建物Ｂ間には、図４と図５に示すような水平Ｙ方向変位が生じる。
【００３７】
図４は、建物Ｂが建物Ａに対して矢印４１方向に揺動した場合を示し（建物Ｂが奥行方向に水平方向変位）、この場合には、第二の目地カバー部材７が建物Ｂの摺動溝３６に沿ってスライド移動することにより、第二の目地カバー部材７は第一の目地カバー部材６と同一位置になり、エキスパンションジョイント床面部材１０の動作を円滑に行える。また、図５においては、建物Ｂが矢印４２方向に移動した場合を示し（建物Ｂが手前方向に水平方向変位）、この場合には、建物Ｂに支持されているスライド可動内壁１４が建物Ｂと共に矢印４２方向に移動するので、エキスパンションジョイント床面部材１０とエキスパンションジョイント内壁面部材１２は互いに衝突することなく水平Ｙ方向変位、即ち、Ｙスライド方向の矢印３８の動きに対応することができる。
【００３８】
次に、図６乃至図９において、本発明の水平Ｘ方向変位と水平Ｙ方向変位の動作説明をする。図６乃至図９において図１乃至図５と同一符号は同一構成要件を示しており、図６乃至図９にて説明される動作は、地震時において建物Ａと建物Ｂ間のクリアランスＣ２が最小限まで縮小した場合を説明している。
【００３９】
図６は側断面図、図７は図６における要部斜視説明図を示している。そして、図８は、図６の水平Ｙ方向変位動作図で建物Ｂが奥行方向に可動した場合を示す斜視説明図、図９は、図６の水平Ｙ方向変位動作図で建物Ｂが手前方向に可動した場合を示す説明図である。
【００４０】
図６において、建物Ａの躯体１と建物Ｂの躯体２の間にはクリアランス（間隙部）Ｃ２が設けられており、このクリアランスＣ２は地震時において建物Ａと建物Ｂ間のクリアランスが最小限に縮小した場合を示している。そして、建物Ａと建物Ｂとの躯体１と躯体２間の上面には夫々形状の異なる建物Ａ側の凹部形状面３と建物Ｂ側の凹部形状面４が設けられており、該建物Ａ側の凹部形状面３上には、滑性の良い金属材料からなるベース基板５が載設されており、更に、建物Ａ側に設けられたベース基板５上には、比較的幅の狭い目地カバー幅Ｗ１を有し、前記クリアランスＣ１を覆わない形態で第一の目地カバー部材６が設置されており、前記建物Ｂ側の凹部形状面４と建物Ａ側の凹部形状面３上のベース基板５間には幅広の目地カバー幅Ｗ２を有する第二の目地カバー部材７が載架されているエキスパンション床面部材１０を形成している、
【００４１】
また、図６において、１１は建物Ａ側に設けられた固定内壁で、建物Ａと地震時に一緒に可動するもので、該固定内壁１１はエキスパンションジョイント内壁面部材１２の固定側内壁面を構成しており、また、固定内壁１１は前記建物Ａのエキスパンションジョイント床面部材１０を形成する第一の目地カバー部材６の目地カバー幅Ｗ１より大き目でクリアランスＣ１側に突出しているが、クリアランスＣ１を跨ぐことはない壁巾を有する固定内壁１１で、該固定内壁１１は、建物Ａ側の凹部形状面３より立ち上げて形成されている。
【００４２】
而して、図６においては、クリアランスＣ２が通常時のクリアランスＣ１に対して地震にて非常に縮小されている形態を示し、この縮小動作の過程で、前記第一の目地カバー部材６は第二の目地カバー部材７の移動圧縮を受ける。そして、目地板１８及び目地板３１の下部構造は、図２（Ａ）、（Ｂ）、（Ｃ）の如く構成されていることにより第一の目地カバー部材６は、上部にせり上げられ、第二の目地カバー部材７は第一の目地カバー部材６の下部に重なりあう動作をし、クリアランスＣ２の収縮に対応しているおり、図６は、この状態を側面図にて示している。
【００４３】
図７において、８は建物Ａ側の床面、１８は目地板、６は第一の目地カバー部材、３１は目地板、７は第二の目地カバー部材、３３は目地板、９は建物Ｂ側の床面を夫々示しており、図１にて説明した固定内壁１１とスライド可動内壁１４の当接部は当接目地材１５として示されており、水平Ｘ方向変位を受けてＸスライド方向の矢印３７の動きでクリアランスＣ２は、最小までに縮小された状態を示している。
【００４４】
また、図７における３７は水平Ｘ方向変位に対応する動きを示すＸスライド方向の矢印、３８は水平Ｙ方向変位に対応する動きを示すＹスライド方向の矢印、１３は建物Ｂの躯体上に施工された通路用内壁で、該通路用内壁１３にはスライド移動可能なスライド可動内壁１４と該スライド可動内壁１４に対向して設けられた当接用目地材１５を介して固定内壁１１が配置されており、８は建物Ａ側の床面、１８は目地板、６は第一の目地カバー部材、３１は目地板、７は第二の目地カバー部材、３３は目地板、３６は摺動溝、９は建物Ｂ側の床面を夫々示している。而して、クリアランスＣ２が最小までに縮小した場合にあっても、前記第二の目地カバー部材７はスライド可動内壁１４を図面手前側にスライド可能な目地幅Ｍを有しており、前記スライド可動内壁１４の下部には、スライド用隙間部１７が設けられていることがら、エキスパンションジョイントが水平Ｙ方向変位を受けてＹスライド方向の矢印３８の動きをした場合においても、前記スライド可動内壁１４はＹスライド方向矢印３８の動きが可能であり、エキスパンションジョイント床面部材１０とエキスパンションジョイント内壁面部材１２との納まりは、互いに衝突して損傷することがなく非常に狭いスライド用間隙部１７の間隙を有するのみの構成となることから、意匠的にシンプルで大変きれいな納まりを提供することができる。
【００４５】
而して、図６及び図７において、クリアランスＣ２が地震の揺れにより最小までに縮小した場合における第一の目地カバー部材６と第二の目地カバー部材７の設置状況を説明してきたが、クリアランスＣ２の状況において、水平Ｙ方向変位に対応したＹスライド方向の矢印３８の横揺れが発生した場合にはおいては、建物Ａと建物Ｂ間には、図８と図９に示すような水平Ｙ方向変位が生じる。
【００４６】
図８と図９は第一の目地カバー部材６の下方に第二の目地カバー部材７の先端部が重なり合って、第一の目地カバー部材６が上部にせり上がった上がった状態を示し、図８は、建物Ｂが建物Ａに対して矢印４１方向に揺動し建物Ｂが奥行方向に水平方向変位しており、この場合には、第二の目地カバー部材７が建物Ｂの摺動溝３４に沿ってスライド可動することにより、第二の目地カバー部材７は第一の目地カバー部材と同一位置となり、建物Ｂの躯体上に施工された通路用内壁１１とスライド可動内壁１４間にずれが生じるがエキスパンションジョイント床面部材１０を円滑に動作できる。また、図９においては、建物Ｂが矢印４２方向に移動した場合を示し（建物Ｂが手前方向に水平方向変位）、この場合には、建物Ｂに支持されているスライド可動内壁１４が建物Ｂと共にＹ方向の矢印４２方向に移動するのでエキスパンションジョイント床面部材１０とエキスパンションジョイント内壁面部材１２は互いに衝突することなく水平Ｙ方向変位、即ち、Ｙスライド方向の矢印３８方向の動きに対応することができる。
【００４７】
次に、図１０乃至図１３において、本発明の水平Ｘ方向変位と水平Ｙ方向変位の動作説明をする。図１０乃至図１３において図１乃至図５と同一符号は同一構成要件を示しており、図１０乃至図１３にて説明される動作は、地震時において建物Ａと建物Ｂ間のクリアランスＣ３が最大限まで拡大した場合を説明している。
【００４８】
図１０は側断面図、図１１は図１０における要部斜視説明図を示している。そして、図１２は、図１０の水平Ｙ方向変位動作図で建物Ｂが奥行方向に可動した場合を示す説明図、図１３は、図１０の水平Ｙ方向変位動作図で建物Ｂが手前方向に可動した場合を示す説明図である。
【００４９】
図１０において、建物Ａの躯体１と建物Ｂの躯体２の間にはクリアランス（間隙部）Ｃ３が設けられており、このクリアランスＣ３は地震時において建物Ａと建物Ｂ間のクリアランスが最大限に拡大した場合を示している。そして、建物Ａと建物Ｂとの躯体１と躯体２間の上面には夫々形状の異なる建物Ａ側の凹部形状面３と建物Ｂ側の凹部形状面４が設けられており、該建物Ａ側の凹部形状面３上には、滑性の良い金属材料からなるベース基板５が載設されており、更に、建物Ａ側に設けられたベース基板５上には、比較的幅の狭い目地カバー幅Ｗ１を有し、前記クリアランスＣ３を覆わない形態で第一の目地カバー部材６が設置されており、前記建物Ｂ側の凹部形状面４と建物Ａ側の凹部形状面３上のベース基板５間には幅広の目地カバー幅Ｗ２を有する第二の目地カバー部材７が載架されていて建物Ａ側の床面８から略同一面上に第一の目地カバー部材６とベース基板５、そしてクリアランスＣ１を覆う第二の目地カバー部材７により建物Ｂ側の床面９に連繋されたエキスパンションジョイント床面部材１０を形成している、
【００５０】
また、図１０において、１１は建物Ａ側に設けられた固定内壁で、建物Ａと地震時に一緒に可動するもので、該固定内壁１１は通路用内壁３９に接続されており、前記建物Ａのエキスパンションジョイント床面部材１０を形成する第一の目地カバー部材６の目地カバー幅Ｗ１より大き目でクリアランスＣ３側に突出しているが、クリアランスＣ３を跨ぐことはない壁巾を有する固定内壁１１で、該固定内壁１１は、建物Ａ側の凹部形状面３より立ち上げて形成されている。
尚、前記固定内壁１１の先端部には当接用目地材１５が設けられており、該固定内壁１１の当接用目地材１５とスライド可動内壁１４の角部間には引っ張りスプリング４０ａ、４０ｂ、４０ｃ・・・が装架されており、該引っ張りスプリング４０ａ、４０ｂ、４０ｃ・・・は地震発生時の固定内壁１１とスライド可動内壁１４の動きを揺れの終息時に元に戻す働きをするものである。
【００５１】
而して、図１０においては、クリアランスＣ３が通常時のクリアランスＣ１に対して地震にて非常に拡大されているので、この拡大動作の過程で、前記第二の目地カバー部材７は第一の目地カバー部材６をベース基板５上に降ろし、矢印４３に示すように建物Ｂ側に大きく移動する。図１０はこの時の状態を示し、第二の目地カバー部材７はベース基板５と建物Ｂ側の凹部形状面４間に装架されクリアランスＣ３を形成している。
【００５２】
図１１は、図１０の様態を斜視図で示しており、３７は水平Ｘ方向変位に対応する動きを示すＸスライド方向の矢印、３８は水平Ｙ方向変位に対応する動きを示すＹスライド方向の矢印を示し、エキスパンションジョイント内壁面部材１２において、１３は建物Ｂの躯体上に施工された通路用内壁で、該通路用内壁１３にはスライド可能なスライド可動内壁１１が設けられており、該スライド可動内壁１４の先端部には対向して設けられた当接用目地材１５を介して固定内壁１５が設置されている。また、エキスパンションジョイント床面部材１０において、８は建物Ａ側の床面、１８は目地板、６は第一の目地カバー部材、３１は目地板、５はベース基板、７は第二の目地カバー部材、３３は目地板、３６は摺動溝、９は建物Ｂ側の床面を夫々示している。而して、図１１はクリアランスＣ３が最大までに拡大した場合にあっても、前記スライド内壁１４の下部には、第二の目地カバー部材７上に目立たない極小の間隙を有するスライド用隙間部１７が設けられていることがら、エキスパンションジョイントが水平Ｙ方向変位を受けてＹスライド方向の矢印３８に示す動きをした場合に、前記スライド可動内壁１４はＹスライド方向の矢印３８の円滑な動きが可能であり、前記エキスパンションジョイント床面部材１０とエキスパンションジョイント内壁面部材１２との取り合いは、非常に狭いスライド用間隙部１７の間隙を有するのみの構成となることから、意匠的に大変シンプルできれいな納まりを提供することができる。
【００５３】
而して、図１０及び図１１は、クリアランスＣ３が地震の揺れにより最大限までに拡大した場合における第一の目地カバー部材６と第二の目地カバー部材７の設置状況を説明してきたが、クリアランスＣ３の状況において、水平Ｙ方向変位に対応した矢印４１や矢印４２の横揺れが発生した場合にはおいては、建物Ａと建物Ｂ間には、図１２と図１３に示すような水平Ｙ方向変位が生じる。
【００５４】
図１２と図１３は第一の目地カバー部材６と第二の目地カバー部材７の先端部がベース基板５上で離間しており、第一の目地カバー部材６はベース基板５上に載置され床面８と同一面上に設置されている。図１２は、建物Ｂが建物Ａに対して矢印４１方向に移動し建物Ｂが奥行方向に水平方向変位しており、この場合には、第二の目地カバー部材７の下部に設けられたスライド用ガイド部材３１が建物Ｂの摺動溝３６に沿ってスライド可動することにより、第二の目地カバー部材７は第一の目地カバー部材６と同一位置となり、エキスパンションジョイント床面部材１０を円滑に動作可能である。また、図１３においては、建物Ｂが矢印４２方向に移動した場合を示し（建物Ｂが手前方向に水平方向変位）、この場合には、建物Ｂに支持されているスライド可動内壁１４が建物Ｂと共に矢印４２方向に移動するのでエキスパンションジョイント床面部材１０とエキスパンションジョイント内壁面部材１２は互いに衝突することなく水平Ｙ方向変位、即ち、矢印４１方向と矢印４２方向の動きに対応することができる。
【００５５】
斯くして、本発明は、建物Ａと建物Ｂとの躯体間に設けられたクリアランスＣを覆うエキスパンションジョイント床部面材１０において、該建物Ａと建物Ｂとの躯体間上面には夫々形状の異なる凹部形状面３、４を構成し、該建物Ａ側に設けられた凹部形状面３には比較的幅が狭く前記クリアランスを覆うことがない上下動可能な第一の目地カバー部材６が設置されており、また前記建物Ｂの凹部形状面４には幅広の第二の目地カバー部材７が設置されており、該第二の目地カバー部材７は建物Ａと建物Ｂとの躯体間に設けられたクリアランスＣを覆い建物Ｂ側の凹部形状面４の縁部では第二の目地カバー部材７の片側を水平Ｙ方向変位に対応してＹスライド方向の矢印３８方向への摺動可能な摺動溝３６に嵌合しており、該第二の目地カバー部材７の建物Ａ側方向の動きは第二の目地カバー部材７の先端部をもって前記第一の目地カバー部材７を上部方向にせり上げ第一の目地カバー部材６と第二の目地カバー部材７が重なり合うことで前記クリアランスＣの収縮方向に可動する地震の揺れに対応できる構成となし、前記建物Ａと建物Ｂとの躯体間に設けられたクリアランスＣを覆うエキスパンションジョイント内壁面部材は建物Ａの固定内壁１１面を形成する第一の目地カバー部材６の幅より大き目で前記クリアランスを覆うことのない巾を有する固定内壁１１を建物Ａ側の凹部形状３面より立ち上げて形成し、前記建物Ｂ側の内壁面を形成する第二の目地カバー部材７側の内壁面には片側端部を建物Ｂの壁面に取付けられ前記建物Ａ側に設けられた固定内壁１１にスライド移動して建物Ａと建物Ｂの壁面クリアランスの可動に対応できるスライド可動内壁１４を設け、該スライド可動内壁１４の下部には前記第二の目地カバー部材７との取合い面においてスライド可動内壁１４の下部と第二の目地カバー部材７の上面にスライド用隙間部１７からなる隙間部を設けて第二の目地カバー部材７の水平Ｙ方向変位に対応してＹスライド方向の可動を規制しないように構成した床面と内壁面からなるエキスパンションジョイントである。
【００５６】
また、本発明において、前記水平Ｘ方向変位に対応したＸスライド方向の可動を可能にした構成は、第一の目地カバー部材６の幅寸法が第二の目地カバー部材７の約二分の一寸法を有し、該第一の目地カバー部材６は第二の目地カバー部材７の先端部を第一の目地カバー部材８の下部に重ねることによりＸスライド方向の幅広い可動を可能にした床面と内壁面からなるエキスパンションジョイントを提供するものである。
【００５７】
更にまた、本発明において、第一の目地カバー部材６の幅寸法は、該第一の目地カバー部材６の両側壁側に設けられた固定内壁１１面内に収まる幅寸法に構成することにより常に建物Ａの動きに同調し水平Ｙ方向変位に対応してＹスライド方向の可動を可能にした床面と内壁面からなるエキスパンションジョイントを提供するものである。
【００５８】
斯くして、本発明は、免震建物と非免震建物が形成する躯体間のクリアランスに設置される床面部材と内壁面部材とで構成するエキスパンションジョイントにおいて、エキスパンションジョイント床部材とエキスパンションジョイント内壁面部材が地震可動時において相互に連動して可動する場合に対応して床部材と内壁面部材の相互間の可動を円滑化して、エキスパンションジョイントの床部材とエキスパンションジョイントの内壁面部材が互に衝突して破損することなく円滑に可動でき、地震時の揺れにおける水平Ｘ方向変位（Ｘスライド方向）と水平Ｙ方向変位（Ｙスライド方向）に対応可能な床面と内壁面からなるエキスパンションジョイントを提供するものである。
【００５９】
また、本発明は、地震発生時において建物間に設けられたクリアランス（間隙部）における床面部材と内壁面部材の同時可動の方向性を重視した実用性のある床面と内壁面を構成するエキスパンションジョイントを提供することが可能となり、エキスパンションジョイントの床面部材と内壁面部材との納まりは非常に狭いスライド内壁の間隙を有するのみの構成となることから、意匠的に大変きれいな納まりを提供することができる。
【符号の説明】
【００６０】
１  躯体（建物Ａ側）
２  躯体（建物Ｂ側）
３  凹部形状面（建物Ａ側）
４  凹部形状面（建物Ｂ側）
５  ベース基板
６  第一の目地カバー部材
７  第二の目地カバー部材
８  建物Ａ側の床面
９  建物Ｂ側の床面
１０  エキスパンションジョイント床面部材
１１  固定内壁
１２  エキスパンションジョイント内壁面部材
１３  通路用内壁
１４  スライド可動内壁
１５  当接用目地材
１６  目地部
１７  スライド用隙間部
１８  目地板
１９  傾斜縁枠
２０  床仕上げ材
２１  端部プレート
２２  カム部材
２３  丁番
２４  矢印
２５  外枠材
２６ａ、２６ｂ、２６ｃ・・・  固定用ピン
２７ａ、２７ｂ、２７ｃ・・・  傾斜孔
２８  端部プレート
２９  カム部材
３０  丁番
３１  目地板
３２  傾斜縁部材
３３  目地板
３４  スライド用ガイド部材
３５  位置調整架台
３６  摺動溝
３７  Ｘスライド方向の矢印
３８  Ｙスライド方向の矢印
３９  通路用内壁
４０ａ、４０ｂ、４０ｃ・・・  引っ張りスプリング
４１  矢印（奥行方向を示す）
４２  矢印（手前方向を示す）
４３  矢印
Ａ  建物  
Ｂ  建物
Ｗ１  目地カバー幅（第一の目地カバー部材幅）
Ｗ２  目地カバー幅（第二の目地カバー部材幅）
Ｃ    クリアランス
Ｃ１  クリアランス（通常時）
Ｃ２  クリアランス（最小時）
Ｃ３  クリアランス（最大時）
Ｌ１  壁面クリアランス
Ｍ    目地幅
【図１】
2017014800.tif 000003
【図２】
2017014800.tif 000004
【図３】
2017014800.tif 000005
【図４】
2017014800.tif 000006
【図５】
2017014800.tif 000007
【図６】
2017014800.tif 000008
【図７】
2017014800.tif 000009
【図８】
2017014800.tif 000010
【図９】
2017014800.tif 000011
【図１０】
2017014800.tif 000012
【図１１】
2017014800.tif 000013
【図１２】
2017014800.tif 000014
【図１３】
2017014800.tif 000015